(57)【要約】【課題】Nupの途中でカラーモードの変更があってもNupの合成出力を可能にすること。【解決手段】本発明は、原稿の画像を読み取る画像読取装置１１と、画像形成すべき画像を記憶するための非圧縮画像格納メモリ１６と、画像読取装置１１で読み取った複数面の原稿の画像を１面に配列して非圧縮画像格納メモリ１６に書き込む制御回路Ａと、原稿の画像を単色モードおよび多色モードのいずれかで画像形成すべきかの指定を操作者より受け付ける操作部１４とを備える画像処理装置１において、制御回路Ａが、操作部１４より受け付けたモードにかかわらず非圧縮画像格納メモリ１６に多色モードでの画像形成に必要な色空間の次元数だけの複数のメモリ領域を確保し、かつ単色モードが指定された原稿の画像は前記複数のメモリ領域のいずれか一色の領域に格納するものである。【選択図】図１
2006094110.tif 000002
【特許請求の範囲】
【請求項１】
単色で画像を形成する単色モードと多色で画像を形成する多色モードとを有する画像形成装置を備え、複数面の原稿の画像を取り込んで前記複数面の原稿の画像を１面に配列した画像を媒体に形成する画像処理装置において、
先に前記単色モードおよび多色モードのうちいずれかである第１のモードで画像形成すべきと操作者より指定されて読込んだ原稿の画像と、その後に前記第１のモードとは異なる第２のモードで画像形成すべきと操作者より指定されて読込んだ原稿の画像とを単一の面に配列した画像を形成する場合、前記画像形成装置は前記多色モードで動作し、かつ単色モードで画像形成すべきと指定された原稿の画像の部分は単色で画像形成する
ことを特徴とする画像処理装置。
【請求項２】
原稿の画像を読み取る画像読取装置と、
画像形成すべき画像を記憶するためのメモリと、
前記画像読取装置で読み取った複数面の原稿の画像を１面に配列して前記メモリに書き込む制御回路と、
原稿の画像を単色モードおよび多色モードのいずれかで画像形成すべきかの指定を操作者より受け付ける操作部とを備える画像処理装置において、
前記制御回路は、前記操作部より受け付けたモードにかかわらず前記メモリに多色モードでの画像形成に必要な色空間の次元数だけの複数のメモリ領域を確保し、かつ単色モードが指定された原稿の画像は前記複数のメモリ領域のいずれか一色の領域に格納する
ことを特徴とする画像処理装置。
【請求項３】
画像形成すべき画像を記憶するためのメモリを備えており、
画像形成を行う際には前記単色モードでも前記多色モードであっても前記メモリに多色モードでの画像形成に必要なＹ（イエロー）、Ｍ（マゼンタ）、Ｃ（シアン）、Ｋ（黒）の色空間からなる複数のメモリ領域を確保し、かつ単色モードで画像形成を行う際には前記複数のメモリ領域のうちＫのメモリ領域に画像を格納する
ことを特徴とする請求項１記載の画像処理装置。
【請求項４】
単色で画像を形成する単色モードと多色で画像を形成する多色モードとを画像形成モードとして有する画像形成装置を用い、複数面の原稿の画像を取り込んで前記複数面の原稿の画像を１面に配列した画像を媒体に形成する画像処理方法において、
第１の原稿に対する第１の画像形成モードの指定を操作者より受け付けるとともに当該第１の原稿の画像を取り込み、
第２の原稿に対する第２の画像形成モードであって前記第１の画像形成モードとは異なる画像形成モードの指定を操作者より受け付けるとともに当該第２の原稿の画像を取り込み、
前記第１の原稿の画像と前記第２の原稿の画像とを単一の面に配列し、
前記画像形成装置を前記多色モードの画像形成モードで動作させて前記単一の面に配列した画像を形成し、かつ単色モードで画像形成すべきと指定された原稿の画像は単色で画像形成する
ことを特徴とする画像処理方法。
【請求項５】
画像形成すべき画像を記憶するためのメモリを用い、画像形成を行う際には前記単色モードでも前記多色モードであっても前記メモリに多色モードでの画像形成に必要なＹ（イエロー）、Ｍ（マゼンタ）、Ｃ（シアン）、Ｋ（黒）の色空間からなる複数のメモリ領域を確保し、かつ単色モードで画像形成を行う際には前記複数のメモリ領域のうちＫのメモリ領域に画像を格納する
ことを特徴とする請求項４記載の画像処理方法。
【発明の詳細な説明】
【技術分野】
【０００１】
本発明は、複写機、スキャナ等において画像を合成するための画像処理装置および画像処理方法に関し、特に、異なるカラーモードの合成を行う画像処理装置および画像処理方法に関する。
【背景技術】
【０００２】
画像データの合成を行う画像処理において、従来、複数ページ分の画像を１ページにレイアウトして出力する、いわゆるNupモード（2in1）という機能が知られている。これは、予め複数ページ分の画像データを取り込んで合成し、まとめて１つの画像として処理している（特許文献１〜３参照。）。ここでNupモードのN数は、１つの画像として合成する対象となる画像の数であり、例えばN数が「２」の場合には２つの画像を合成して１枚の用紙に印刷出力することを言う。
【０００３】
複写機の場合には、複数の原稿を画像読取装置にて読み取り、複数の入力画像をメモリ上（非圧縮画像格納メモリ）にて合成して画像形成装置にて１枚の用紙へ印刷を行う。画像の合成はN数ごとに行われ、N枚の画像を合成した後にこの合成画像を１枚の用紙に出力した後、次のN枚の画像を読み取って合成する、といった処理を繰り返す。この非圧縮画像格納メモリで合成を行うN数は、ユーザにて指定されるものである。
【０００４】
また、画像読取装置にて原稿の読み取りを行った時、N数に満たない場合がある。この時は、ユーザの終了指示にてN数に満たない画像として画像形成装置にて印刷され、継続指示（以降原稿追加と呼ぶ）が行われた場合は再度原稿読取装置にて原稿の読み取り行い、N数の途中より合成の続きを行う。
【０００５】
カラー複写機では、上記処理においてユーザはカラーモードの指定を行う。この際、フルカラー指定がされた場合はフルカラーメモリへ画像の格納を行い、フルカラーモードにて画像の合成を行い印刷する。また、白黒指定がされた場合は白黒メモリへ画像の格納を行い、白黒モードにて画像の合成を行い印刷する。
【０００６】
ここで、上記原稿追加が行われた時、カラーモードの変更が無い時は、N数の続きの処理を行い、カラーモードの変更があった時は、フルカラーメモリと白黒メモリとの合成が出来ないため、今まで合成したN数に満たない画像を１枚分として画像形成装置にて印刷が行われ、原稿追加の読み取りイメージは新規にN数の合成を開始する。
【０００７】
【特許文献１】特開平９−１３８６０８号公報
【特許文献２】特許第３３２７０７５号明細書
【特許文献３】特開平３−１５８３７号公報
【発明の開示】
【発明が解決しようとする課題】
【０００８】
しかしながら、上記原稿追加がなされた場合、ユーザはカラーモードの変更を指定して１枚の用紙にカラーモードの異なる画像を合成することができないという不具合が発生する。つまり、原稿追加の際にカラーモードを変更すると、各々異なるメモリ空間に格納したフルカラー画像と白黒画像との合成が出来ないために、各々のカラーモードでのN数に満たない画像合成がおこなわれ、１枚にフルカラー画像と白黒画像とが混在した状態で合成された画像を得ることができない。
【０００９】
本発明は、上記のようにNupが指定され、原稿追加時にカラーモードの変更がおこなわれた場合であっても目的とするN数の合成を達成できる画像処理装置を提供することを目的とする。
【課題を解決するための手段】
【００１０】
このような目的を達成するため、本発明は、単色で画像を形成する単色モードと多色で画像を形成する多色モードとを有する画像形成装置を備え、複数面の原稿の画像を取り込んで前記複数面の原稿の画像を１面に配列した画像を媒体に形成する画像処理装置であり、先に単色モードおよび多色モードのうちいずれかである第１のモードで画像形成すべきと操作者より指定されて読み込んだ原稿の画像と、その後に第１のモードとは異なる第２のモードで画像形成すべきと操作者より指定されて読込んだ原稿の画像とを単一の面に配列した画像を形成する場合、画像形成装置を多色モードで動作させ、かつ単色モードで画像形成すべきと指定された原稿の画像の部分を単色で画像形成するものである。
【００１１】
また、本発明は、原稿の画像を読み取る画像読取装置と、画像形成すべき画像を記憶するためのメモリと、画像読取装置で読み取った複数面の原稿の画像を１面に配列して前記メモリに書き込む制御回路と、原稿の画像を単色モードおよび多色モードのいずれかで画像形成すべきかの指定を操作者より受け付ける操作部とを備える画像処理装置において、制御回路が、操作部より受け付けたモードにかかわらずメモリに多色モードでの画像形成に必要な色空間の次元数だけの複数のメモリ領域を確保し、かつ単色モードが指定された原稿の画像は前記複数のメモリ領域のいずれか一色の領域に格納するものである。
【００１２】
また、本発明は、単色で画像を形成する単色モードと多色で画像を形成する多色モードとを画像形成モードとして有する画像形成装置を用い、複数面の原稿の画像を取り込んで複数面の原稿の画像を１面に配列した画像を媒体に形成する画像処理方法であり、第１の原稿に対する第１の画像形成モードの指定を操作者より受け付けるとともに当該第１の原稿の画像を取り込み、第２の原稿に対する第２の画像形成モードであって第１の画像形成モードとは異なる画像形成モードの指定を操作者より受け付けるとともに当該第２の原稿の画像を取り込み、第１の原稿の画像と第２の原稿の画像とを単一の面に配列し、画像形成装置を多色モードの画像形成モードで動作させて単一の面に配列した画像を形成し、かつ単色モードで画像形成すべきと指定された原稿の画像は単色で画像形成するものである。
【００１３】
このような本発明では、原稿の画像が単色であってもメモリにおけるフルカラー画像の領域の区分けのいずれか一色の領域に格納するため、単色／フルカラーの区別なく１枚の画像として合成でき、N数に満たないで原稿追加した際にカラーモードを切り替えても１枚として合成処理を行うことができる。
【発明の効果】
【００１４】
したがって、本発明によれば、Nupモードが指定された時、カラーモードの変更が出来ない問題や、変更が可能となっていても異なるカラーモードを同一ページへ出力することができないという問題を解消し、異なるカラーモードを１画像として処理（印刷）することが可能となる。
【発明を実施するための最良の形態】
【００１５】
以下、本発明の実施の形態を図に基づき説明する。図１は、本実施形態に係る画像処理装置を説明するブロック図である。すなわち、この画像処理装置１は、主として複写機や複合機（スキャナ、プリンタ、ファクシミリ等の複数の機能を備えたもの）から成り、画像読取装置１１、画像蓄積装置１２、画像形成装置１３、操作部１４、ネットワークコントローラ１５、非圧縮画像格納メモリ１６、制御回路Ａ、制御回路Ｂから構成されている。
【００１６】
画像読取装置１１はスキャナから成り、原稿の画像を読み取って画像データに変換する部分である。画像蓄積装置１２は、圧縮器１２ａ、メモリ１２ｂ、伸長器１２ｃ、ページメモリ制御部１２ｄおよび画像記憶装置（ＨＤＤ）１２ｅを備えており、画像読取装置１１で取り込んだ画像データを圧縮器１２ａで圧縮し、メモリ１２ｂを介して一旦ＨＤＤ（ハードディスクドライブ）から成る画像記憶装置１２ｅに蓄積した後、伸長器１２ｃで伸長して画像形成装置１３へ渡す処理を行っている。カラー画像を処理する場合など、読み取った原稿の画像データを画像蓄積装置１２に蓄積しておき、所定のタイミング画像形成装置１３へ渡すようにすることで、原稿画像の処理効率を高めることができる。
【００１７】
画像形成装置１３は画像蓄積装置１２から渡された画像データに基づき静電潜像およびトナー像を形成し、用紙等の媒体にトナー像を転写することで画像の形成を行う部分である。操作部１４は、ユーザの指示を受け付けるボタンや装置の状態、設定内容の確認、メッセージ表示等を行うディスプレイなどのユーザインタフェースである。
【００１８】
本実施形態の画像処理装置１では、複数の原稿の画像を１枚の用紙に合成して出力する、いわゆるNupモードという機能を備えている。この機能を実現するため、画像読取装置１１で複数の原稿画像を読み取った後に、その複数の原稿画像を１枚に合成する非圧縮画像格納メモリ（合成メモリ）１６を備えている。非圧縮画像格納メモリ１６には、NupのN数に応じた複数の画像を１枚に合成するため、各画像に対応して領域が確保されるとともに、各領域毎、白黒画像およびフルカラー画像を構成する色空間の各色毎に画像データを格納できるようになっている。
【００１９】
図２は、合成メモリの領域を説明する模式図である。図２（ａ）はフルカラー用のメモリ領域、図２（ｂ）は白黒用のメモリ領域を示している。図２（ａ）に示すフルカラー用では、例えばＹ（イエロー）、Ｍ（マゼンタ）、Ｃ（シアン）、Ｋ（黒）の４色の色空間を構成する各色毎に領域が区分けされ、各色毎１ページ分の領域を備えている。また、この例ではN数が「４」の場合を示しているため、各色毎の１ページ分の領域が４分割されている。図２（ｂ）に示す白黒用では白黒単色１ページ分の領域が確保され、その１ページ分がN数に応じて分割されている。
【００２０】
図３は、従来の合成メモリの格納状態を説明する模式図である。例えばN数が「４」で最初に白黒画像を読み取り、途中で白黒画像がN数に満たなくなった場合、図３（ａ）に示すように、白黒メモリにはN数に足りないままの状態で画像データが格納される。ここで原稿追加を行うとともに、カラーモードを切り替えてフルカラー画像を取り込むと、フルカラー画像は白黒用のメモリに入れられないため、図３（ｂ）に示すように、別途フルカラー用のメモリの領域に画像データを格納することになる。
【００２１】
したがって、例えば１枚目の原稿が白黒、２枚目から４枚目の原稿がカラーの場合には、合計４枚の原稿であるにもかかわらず、用紙の１枚目に白黒の画像、２枚目にカラーの画像といった印刷形態となってしまう。
【００２２】
そこで、本実施形態に係る画像処理装置１は、原稿の画像が白黒等の単色である場合、合成メモリにおけるフルカラー用のメモリ領域のいずれか一色の領域にその単色のデータを格納するようになっている。これにより、Nupを行う場合には白黒、フルカラーのいずれの原稿でもフルカラーとして処理し、白黒原稿の部分については白黒で出力できるようになる。
【００２３】
図４は、本実施形態での合成メモリの格納状態を説明する模式図である。図４（ａ）に示す例は、例えばN数が「４」で最初に１枚の白黒画像を読み取り、２枚目からフルカラーにモード変更して４枚までカラー原稿を読み取る場合を想定している。この場合、先ず最初に読み取った白黒画像のデータをフルカラー用のＫの領域（１枚目に対応した左上領域の1BW）に格納する。
【００２４】
次に、フルカラーにモード変更され、２枚目から４枚目までカラー原稿を読み取ると、Ｙ，Ｍ，Ｃ，Ｋの各色のメモリ領域の２枚目から４枚目に対応する領域（２枚目は右上領域の2FC、３枚目は左下領域の3FC、４枚目は右下領域の4FC）に各々格納する。つまり、１枚目の白黒原稿のみフルカラー用のメモリ領域におけるＫの１枚目の位置に格納され、他の色（Ｙ，Ｍ，Ｃ）の１枚目の位置には何も格納されない。また、２枚目から４枚目についてはフルカラーのＹ，Ｍ，Ｃ，Ｋ全てに各々の色に対応した画像データが格納される。
【００２５】
これにより、画像形成を行う際には合成メモリのフルカラー用の領域から画像データを読み出すことで、１枚目の位置（左上）にはＫ（黒）のみのデータによって白黒画像が形成され、２枚目の位置（右上）、３枚目（左下）、４枚目の位置（右下）にはＹ，Ｍ，Ｃ，Ｋ全てのデータによってカラー画像が形成されることになる。
【００２６】
また、図４（ｂ）に示す例は、例えばN数が「４」で最初に１枚のカラー画像を読み取り、２枚目から白黒にモード変更して４枚まで白黒原稿を読み取る場合を想定している。この場合、先ず最初に読み取ったカラー画像のデータを、メモリ領域のＹ，Ｍ，Ｃ，Ｋ全てに各々の色に対応して格納する（図中1FC参照）。
【００２７】
次に、白黒にモード変更され、２枚目から４枚目まで白黒原稿を読み取ると、フルカラー用のメモリ領域におけるＫの領域（２枚目は右上領域の2BW、３枚目は左下領域の3BW、４枚目は右下領域の4BW）に各々格納する。つまり、１枚目のカラー原稿のみフルカラー用のメモリ領域の１枚目におけるＹ，Ｍ，Ｃ，Ｋ全てに各々の色に対応した画像データが格納され、また、２枚目から４枚目についてはフルカラーのＹ，Ｍ，Ｃ，ＫのうちＫの位置に格納され、他の色（Ｙ，Ｍ，Ｃ）の２枚目から４枚目の位置には何も格納されないことになる。
【００２８】
これにより、画像形成を行う際には合成メモリのフルカラー用の領域から画像データを読み出すことで、１枚目の位置（左上）にはＹ，Ｍ，Ｃ，Ｋ全てのデータによってカラー画像が形成され、２枚目の位置（右上）、３枚目（左下）、４枚目の位置（右下）にはＫ（黒）のみのデータによって白黒画像が形成されることになる。
【００２９】
図５は、本実施形態の合成メモリの格納状態を説明する模式図で、全て白黒画像の場合を示している。なお、ここでもN数を「４」として説明する。１枚目から４枚目まで全て白黒原稿の場合、本実施形態ではフルカラー用の合成メモリにおけるＫの領域に各原稿の画像データを格納する。すなわち、１枚目の原稿の白黒画像データはＫ領域の左上、２枚目の原稿の白黒画像データはＫ領域の右上、３枚目の原稿の白黒画像データはＫ領域の左下、４枚目の原稿の白黒画像データはＫ領域の右下に各々格納される。白黒画像データであってフルカラー用の領域におけるいずれか一色の領域に格納すれば、白黒画像のNup出力を行うことが可能となる。
【００３０】
図６および図７は、本実施形態に係る画像処理装置の動作を説明するフローチャートである。先ず、画像処理装置はNupが指定されているか否かを判断する（ステップＳ１）。Nupが指定されていない場合には図７のステップＳ２へ進み、カラーモードによる非圧縮画像格納メモリを確保し、画像読取装置で画像の読み取りを開始し（ステップＳ３）、その後、画像蓄積装置へ画像を転送し（ステップＳ４）、この画像に基づく用紙への印刷出力を画像形成装置で実行する（ステップＳ５）。
【００３１】
一方、ステップＳ１の判断でNupが指定されている場合には、既にNupが指定されているメモリが存在するか否かを判断し（ステップＳ６）、存在しない場合には非圧縮画像格納メモリをフルカラー領域分を確保し、Nup用に分割しておく。
【００３２】
次に、画像読取装置より原稿画像の読み取りを開始する（ステップＳ８）。そして、読み取った画像が白黒か否かを判断し（ステップＳ９）、白黒でない場合にはフルカラーメモリのＹ，Ｍ，Ｃ，Ｋの各領域の画像を格納する（ステップＳ１０）。また、白黒である場合には、フルカラーメモリのＫ領域に画像を格納する（ステップＳ１１）。
【００３３】
そして、N数揃ったか否かを判断し（ステップＳ１２）、揃っていない場合には次の原稿があるか否かを判断する（ステップＳ１３）。次の原稿があるばあいにはステップＳ８へ戻り、画像読取装置による次の原稿画像の読み取りを行う。また、ステップＳ１２の判断でN数が揃った場合には図７に示すステップＳ４へ進み、画像蓄積装置へ画像を転送し、この画像に基づく用紙への印刷出力を画像形成装置で実行する（ステップＳ５）。
【００３４】
また、N数が揃わず、次の原稿がない場合には原稿追加があるか否かを判断する（ステップＳ１４）。追加がある場合にはステップＳ１へ戻って先と同様な処理を繰り返す。また、原稿追加がない場合には図７に示すステップＳ４へ進み、画像蓄積装置へ画像を転送し、この画像に基づく用紙への印刷出力を画像形成装置で実行する（ステップＳ５）。
【００３５】
この画像形成装置での印刷出力において白黒画像を処理する動作には、白黒専用の画像処理による白黒印刷モードと、カラーとして黒色を生成する画像処理によるカラー印刷モードとがある。いずれの印刷モードでも黒画像を印刷することはできるが、処理速度はカラー印刷モードよりも白黒印刷モードの方が速い。
【００３６】
そこで、本実施形態では、Nupが指定されている場合にはカラー印刷モードでの処理を行う。これは、メモリ領域に白黒原稿とカラー原稿のデータが混在している可能性が高く、このような場合にはモード変更せずにカラー印刷モードで統一して処理すれば、枚数の少ない場合にはトータルでの処理時間を短くできるからである。
【００３７】
また、Nupのうち一部のみ白黒の場合、白黒の部分のみ白黒印刷モード、カラーの部分はカラー印刷モードに切り替えてもよい。これは、白黒部分が多い場合には白黒印刷モードに切り替えて処理する方がトータルの処理時間を短くできるためである。
【００３８】
上記のようにNupが指定された場合にカラー印刷モードで固定するか、白黒部分では白黒印刷モードに切り替えて処理するかは予め設定しておいても、ユーザによって指定させるようにしてもよい。また、白黒部分の数によって自動的に切り替えるようにすればユーザの負担を軽減できるようになる。
【００３９】
このような動作によって、白黒画像であってもフルカラーメモリのＫ領域に画像データを格納し、途中でフルカラーモードに切り替わっても同じフルカラーメモリの他の領域へカラーの画像データを格納することで、NupのN数に白黒とカラーとが混在した状態で出力することが可能となる。
【００４０】
なお、上記の実施形態では単色として白黒画像を例として説明したが、白黒以外の単色であっても適用可能である。また、色空間としてはＹ，Ｍ，Ｃ，Ｋ以外の色空間（例えばＲ（赤）、Ｇ（緑）、Ｂ（青））であってもよい。また、単色の画像データをその単色に対応した色のメモリ空間に格納しているが、異なる色のメモリ空間に格納しても、そのメモリ空間から読み出して最終的な画像形成の色に応じた処理を行えば対応することが可能である。
【実施例】
【００４１】
（実施例１）…1枚目白黒原稿、原稿追加により２，３枚目カラー原稿
１．ユーザが画像読取装置に原稿をセットし、Nupモードと白黒モードを指定し、ジョブを開始する。
２．ジョブ開始時にNupが指定されているため、非圧縮画像格納メモリをフルカラーメモリとして確保する。この時、フルカラーメモリは白出力となるようにクリアを行う。
３．画像読取装置より原稿の読み取りを開始し、画像を非圧縮画像格納メモリに画像を格納する。この時、上記２．にて確保したフルカラーメモリのＮ１のＫ領域（図２参照）に画像を入力し、Ｙ，Ｍ，Ｃ領域には画像入力を行わない。
４．画像を非圧縮画像格納メモリに画像を格納し、画像読取装置にて読み取る原稿が存在しない時は、ユーザに原稿追加要求を行う。
５．ユーザが新たに画像読取装置に原稿をセットし、フルカラーモードを指定しジョブの継続を行う。
６．画像読取装置より画像の読み取りを開始し、画像を上記２．にて確保したフルカラーメモリのＮ２にＹ，Ｍ，Ｃ，Ｋの領域へ画像を入力する。
７．次の原稿の読み取りを開始し、画像を上記２．にて確保したフルカラーメモリのＮ３のＹ，Ｍ，Ｃ，Ｋの領域（図２参照）へ画像を入力する。
８．画像を非圧縮画像格納メモリに画像を格納し、画像読取装置にて読み取る原稿が存在しないため、ユーザに原稿追加要求を行う。
９．ユーザは、新たに追加する原稿が無いため、原稿無しを指定する。
１０．原稿無しが指定されたため、非圧縮画像格納メモリの画像を確認する。この時、1枚以上カラー画像が存在するため、カラーメモリの画像を画像蓄積装置へ転送する。なお、白黒画像が多く存在する場合には、白黒画像は白黒印刷モード、カラー画像はカラー印刷モードに切り替えて処理するようにしてもよい。
１１．画像蓄積装置に転送された画像を画像形成装置にてフルカラー印刷し、プリントを行う。
【００４２】
（実施例２）…1枚目カラー原稿、原稿追加により２，３枚目白黒原稿
１．ユーザが画像読取装置に原稿をセットし、Nupモードとフルカラーモードを指定し、ジョブを開始する。
２．ジョブ開始時にNupが指定されているため、非圧縮画像格納メモリをフルカラーメモリとして確保する。この時、フルカラーメモリは白出力となるようにクリアを行う。
３．画像読取装置より原稿の読み取りを開始し、画像を非圧縮画像格納メモリに画像を格納する。この時、上記２．にて確保したフルカラーメモリのＮ１のＹ，Ｍ，Ｃ，Ｋ領域（図２参照）に画像を入力する。
４．画像を非圧縮画像格納メモリに画像を格納し、画像読取装置にて読み取る原稿が存在しない時は、ユーザに原稿追加要求を行う。
５．ユーザが新たに画像読取装置に原稿をセットし、白黒モードを指定しジョブの継続を行う。
６．画像読取装置より画像の読み取りを開始し、画像を上記２．にて確保したフルカラーメモリのＮ２におけるＫの領域へ画像を入力する。
７．次の原稿の読み取りを開始し、画像を上記２．にて確保したフルカラーメモリのＮ３におけるＫの領域（図２参照）へ画像を入力する。
８．画像を非圧縮画像格納メモリに画像を格納し、画像読取装置にて読み取る原稿が存在しないため、ユーザに原稿追加要求を行う。
９．ユーザは、新たに追加する原稿が無いため、原稿無しを指定する。
１０．原稿無しが指定されたため、非圧縮画像格納メモリの画像を確認する。この時、1枚以上カラー画像が存在するため、カラーメモリの画像を画像蓄積装置へ転送する。なお、白黒画像が多く存在する場合には、白黒画像は白黒印刷モード、カラー画像はカラー印刷モードに切り替えて処理するようにしてもよい。
１１．画像蓄積装置に転送された画像を画像形成装置にてフルカラー印刷し、プリントを行う。
【００４３】
（実施例３）…１枚目白黒原稿、原稿追加により２，３枚目白黒原稿
１．ユーザが画像読取装置に原稿をセットし、Nupモードと白黒モードを指定し、ジョブを開始する。
２．ジョブ開始時にNupが指定されているため、非圧縮画像格納メモリをフルカラーメモリとして確保する。この時、フルカラーメモリは白出力となるようにクリアを行う。
３．画像読取装置より原稿の読み取りを開始し、画像を非圧縮画像格納メモリに画像を格納する。この時、上記２．にて確保したフルカラーメモリのＮ１のＫ領域（図２参照）に画像を入力し、Ｙ，Ｍ，Ｃ領域には画像入力を行わない。
４．画像を非圧縮画像格納メモリに画像を格納し、画像読取装置にて読み取る原稿が存在しない時は、ユーザに原稿追加要求を行う。
５．ユーザが新たに画像読取装置に原稿をセットし、白黒モードを指定しジョブの継続を行う。
６．画像読取装置より画像の読み取りを開始し、画像を上記２．にて確保したフルカラーメモリのＮ２のＫ領域に画像を入力し、Ｙ，Ｍ，Ｃ領域への画像入力は行わない。
７．次の原稿の読み取りを開始し、画像を上記２．にて確保したフルカラーメモリのＮ３のＫ領域に画像を入力し、Ｙ，Ｍ，Ｃ領域への画像入力は行わない。
８．画像を非圧縮画像格納メモリに画像を格納し、画像読取装置にて読み取る原稿が存在しないため、ユーザに原稿追加要求を行う。
９．ユーザは、新たに追加する原稿が無いため、原稿無しを指定する。
１０．原稿無しが指定されたため、非圧縮画像格納メモリの画像を確認する。この時、1枚以上のカラー画像が存在しないため、Ｋ領域の画像のみを画像蓄積装置へ転送する。
１１．画像蓄積装置に転送された画像を画像形成装置にて白黒印刷し、プリントを行う。
【図面の簡単な説明】
【００４４】
【図１】本実施形態に係る画像処理装置を説明するブロック図である。
【図２】合成メモリの領域を説明する模式図である。
【図３】従来の合成メモリの格納状態を説明する模式図である。
【図４】本実施形態での合成メモリの格納状態を説明する模式図である。
【図５】本実施形態の合成メモリの格納状態を説明する模式図で、全て白黒画像の場合を示す図である。
【図６】本実施形態に係る画像処理装置の動作を説明するフローチャート（その１）である。
【図７】本実施形態に係る画像処理装置の動作を説明するフローチャート（その２）である。
【符号の説明】
【００４５】
１…画像処理装置、１１…画像読取装置、１２…画像蓄積装置、１２ａ…圧縮器、１２ｂ…メモリ、１２ｃ…伸長器、１２ｄ…ページメモリ制御部、１２ｅ…画像記憶装置（ＨＤＤ）、１３…画像形成装置、１４…操作部、１５…ネットワークコントローラ、１６…非圧縮画像格納メモリ
【図１】
2006094110.tif 000003
【図２】
2006094110.tif 000004
【図３】
2006094110.tif 000005
【図４】
2006094110.tif 000006
【図５】
2006094110.tif 000007
【図６】
2006094110.tif 000008
【図７】
2006094110.tif 000009